(57)【要約】【課題】ハイブリッド車両において、内燃機関の始動タイミングに関する情報を違和感や不快感を与えることなく運転者に通知する。【解決手段】ハイブリッド車両の制御装置（１００）は、回転電機（ＭＧ２）のみを動力源としてハイブリッド車両が走行する期間において、回転電機のトルクが不足することにより内燃機関（２００）の始動が必要とされる第１の要求出力値（Ｐｍａｘ１）を算出する第１算出手段と、ハイブリッド車両の現在の出力値（Ｐｎ）を算出する第２算出手段と、算出された第１の要求出力値と現在の出力値との比率が表示されるように表示手段（４０）を制御する表示制御手段と、車速及びアクセル開度に基づいて、表示される比率の変化を抑制する抑制手段とを具備する。【選択図】図４
2014213772.tif 000002
【特許請求の範囲】
【請求項１】
表示手段と、
内燃機関と、
少なくとも一つの回転電機と
を備えたハイブリッド車両を制御するハイブリッド車両の制御装置であって、
前記回転電機のみを動力源として前記ハイブリッド車両が走行する期間において、前記回転電機のトルクが不足することにより前記内燃機関の始動が必要とされる前記ハイブリッド車両の第１の要求出力値を算出する第１算出手段と、
前記ハイブリッド車両の現在の出力値を算出する第２算出手段と、
前記算出された第１の要求出力値と前記算出された現在の出力値との比率が表示されるように前記表示手段を制御する表示制御手段と、
車速及びアクセル開度に基づいて前記表示される比率の変化を抑制する抑制手段と
を具備することを特徴とするハイブリッド車両の制御装置。
【請求項２】
前記第１算出手段は、前記回転電機のみを動力源として前記ハイブリッド車両が走行する期間において、前記回転電機の出力が不足することにより前記内燃機関の始動が必要とされる前記ハイブリッド車両の第２の要求出力値を更に算出し、
前記表示制御手段は、前記算出された第１の要求出力値及び第２要求出力値のうち小さい方の値と、前記算出された現在の出力値との比率が表示されるように前記表示手段を制御し、
前記抑制手段は、前記算出された第１の要求出力値と前記算出された現在の出力値との比率が表示されている場合に、前記表示される比率の変化を抑制する
ことを特徴とする請求項１に記載のハイブリッド車両の制御装置。
【請求項３】
前記抑制手段は、前記車速及びアクセル開度により定まる前記ハイブリッド車両の走行領域が所定の領域に該当する場合に、前記表示される比率を維持する
ことを特徴とする請求項１又は２に記載のハイブリッド車両の制御装置。
【請求項４】
前記抑制手段は、前記アクセル開度が一定である若しくは増加している場合且つ前記車速が上昇している場合における前記比率の減少を抑制する
ことを特徴とする請求項１から３のいずれか一項に記載のハイブリッド車両の制御装置。
【発明の詳細な説明】
【技術分野】
【０００１】
本発明は、ハイブリッド車両の制御装置の技術分野に関する。
【背景技術】
【０００２】
内燃機関と回転電機等とを動力源として備えるハイブリッド車両には、内燃機関を停止状態として、回転電機から供給される動力のみによって走行できるものがある。この機関停止走行中における内燃機関の始動条件に言及したものとして、特許文献１がある。特許文献１には、運転者に始動タイミングを通知するために、現在の走行パワーとエンジン始動パワーとを表示する構成が開示されている。
【０００３】
また、機関停止走行中における内燃機関の始動条件に言及したものとして、特許文献２がある。特許文献２には、ハイブリッド車両の走行パワー及び走行トルクに基づいて、車両の推進力に関連する状態量及び内燃機関の始動を要する当該状態量の閾値が算出される構成が開示されている。また、特許文献２には、ＣＤ（Charge Depleting）モード（即ち、外部充電電力による電力走行が行われる走行モード）における低速領域において、クリープトルクの影響により走行パワーの表示が変化しないように不感帯が設けられる構成についても開示されている。
【０００４】
尚、特許文献３には、ＥＶ（Electric Vehicle）モード（上記との関係で言えば、ＣＤモード）とＨＶ（Hybrid Vehicle）モードとの切り替わりが発生するアクセル開度を運転者に示す構成が開示されている。
【先行技術文献】
【特許文献】
【０００５】
【特許文献１】ＷＯ２０１１／０３０４４４号公報
【特許文献２】特開２０１１−１５７１１５号公報
【特許文献３】特開２００８−０７４３２１号公報
【発明の概要】
【発明が解決しようとする課題】
【０００６】
近年、充電インフラ設備の拡充やバッテリ性能の向上等を背景として、外部電源からの充電が可能なＰＨＶ（Plug-in Hybrid Vehicle）において、ＣＤモードの走行領域は拡大する傾向にある。
【０００７】
ＣＤモードの走行領域の拡大は、外部供給される低コストの電力を利用できることから経済的である反面、従来の出力要件に起因するもの以外の内燃機関の始動を招来する。具体的には、ＣＤモードの走行領域が拡大すると、駆動力が不足することによる内燃機関の始動要求（駆動力要件による始動要求）の発生頻度が増加する。
【０００８】
このため、特許文献１に開示されるように単に出力要件（パワー、とは即ち出力である）による内燃機関の始動タイミングのみが通知された場合には、運転者が予期せぬタイミングで内燃機関が始動する可能性がある。
【０００９】
尚、駆動力は、駆動力伝達経路の物理構成が変化しなければ、駆動トルクと一対一に対応する。従って、駆動力要件による始動要求とは、別言すればトルク要件による始動要求を意味する。
【００１０】
このような問題に対して、特許文献２の構成によれば、出力要件による始動タイミングに関する情報と、駆動力（文献内では走行トルク）要件による始動タイミングに関する情報との双方が表示されるため、一見、有意義である。
【００１１】
ところで、特許文献２には、出力要件による始動閾値（始動が要求される出力値）に対する実際の出力値の比率を示す第１の演算値と、駆動力要件による始動閾値（始動が要求される駆動力（文献内では走行トルク値））に対する実際の駆動力値の比率を示す第２の演算値とを算出し、これらのうち大きい方の値を表示する構成も開示されている。
【００１２】
しかしながら、運転者の視点に立てば、このように出力要件による情報表示と駆動力要件による情報表示とが不規則に入れ替わることは望ましくない。特に、一般的な運転者にとっては、出力と駆動力（駆動トルク）との差異は明確でなく、このような措置はかえって運転者の混乱を招く可能性がある。
【００１３】
ここで、駆動力或いは駆動トルクが、車速を考慮することによって容易に出力に換算され得る点に鑑みれば、駆動力要件による始動閾値を、出力要件による始動閾値に換算することは有意義である。この場合、現在の出力値を出力要件の始動閾値及び駆動力要件の始動閾値の双方と較べればよく、特許文献２の構成を考慮して、これらの比率のうち大きい方（即ち、現在の出力値が始動閾値に近い方）の値を表示すれば、視覚的にも明快である。
【００１４】
ところが、駆動力から換算された出力値は、当然ながら車速の上昇に伴って上昇するため、例えばアクセル開度を一定に維持したまま車速が上昇していく過程においては、駆動力要件の始動閾値が徐々に高出力側にシフトする現象が起こる。
【００１５】
このため、始動閾値に対する現在の出力値の比率によって始動タイミングを通知しようとすると、始動閾値の高出力側へのシフトに伴って相対的にこの比率は減少し、アクセル開度が一定且つ車速が上昇している実際の状況に対して、始動タイミングが逆に遠ざかっている印象を運転者に与える結果となる。
【００１６】
従って、始動タイミングに関する情報の表示内容が運転者の感覚と整合しなくなり、運転者に違和感や不快感を与える要因となる。即ち、上記特許文献に開示されるものを含む従来の技術思想の範疇では、ＣＤモード走行時における内燃機関の始動タイミングを通知するにあたって、運転者に与える違和感や不快感を十分に抑制することができない。
【００１７】
本発明は、係る問題点に鑑みてなされたものであり、ハイブリッド車両において、内燃機関の始動タイミングに関する情報を違和感や不快感を与えることなく運転者に通知し得るハイブリッド車両の制御装置を提供することを課題とする。
【課題を解決するための手段】
【００１８】
上述した課題を解決するため、本発明に係るハイブリッド車両の制御装置は、表示手段と、内燃機関と、少なくとも一つの回転電機とを備えたハイブリッド車両を制御するハイブリッド車両の制御装置であって、前記回転電機のみを動力源として前記ハイブリッド車両が走行する期間において、前記回転電機のトルクが不足することにより前記内燃機関の始動が必要とされる前記ハイブリッド車両の第１の要求出力値を算出する第１算出手段と、前記ハイブリッド車両の現在の出力値を算出する第２算出手段と、前記算出された第１の要求出力値と前記算出された現在の出力値との比率が表示されるように前記表示手段を制御する表示制御手段と、車速及びアクセル開度に基づいて前記表示される比率の変化を抑制する抑制手段とを具備することを特徴とする（請求項１）。
【００１９】
本発明に係るハイブリッド車両の制御装置によれば、第１算出手段により、回転電機のトルク不足に起因して内燃機関の始動が必要となる第１の要求出力値が算出される。尚、回転電機のトルク不足とは、トルクと駆動力との相関に鑑みれば、一義的に駆動輪に作用する駆動力の不足を意味する。即ち、第１の要求出力値とは、駆動力要件に基づく内燃機関の始動要求が生じる出力値である。
【００２０】
車室内に設置されたインジケータ等の形態を採り得る表示手段には、この第１の要求出力値と、ハイブリッド車両の現在の出力値との比率が表示される。この比率は、第１の要求出力値に対する現在の出力値の割合の意味を含む。
【００２１】
尚、係る比率の表示態様は自由であり、例えば数値であってもグラフであってもよい。また、比率の表示に際して如何なる視覚効果が付与されていてもよい。また、比率に加えて他の情報が表示されてもよい。
【００２２】
ここで、第１の要求出力値は、駆動力要件に基づく始動要求出力値であるから、車速に応じて変化する。
【００２３】
従って、車速が上昇していく過程における現在の出力値の上昇の度合いが、車速が上昇していく過程における第１の要求出力値の上昇の度合いよりも小さければ、例えアクセル開度が一定であっても、車速の上昇と共に当該比率は減少する。このような現象は、とりわけ中車速領域（例えば、３０〜７０ｋｍ／ｈ程度の車速領域）、中アクセル開度領域（例えば、２０〜６０％程度のアクセル開度領域）等において顕著に発生する。
【００２４】
また、逆に、車速が上昇する過程における現在の出力値の上昇の度合いが、車速が上昇する過程における第１の要求出力値の上昇の度合いよりも大きい場合、例えアクセル開度が一定であっても、車速の上昇と共に当該比率は増加する。このような現象は、とりわけ低車速且つ低アクセル開度の領域（例えば、クリープ走行から緩加速する場合等）において顕著に発生する。このような比率の変化は、運転者の感覚から乖離するものであり、また、必ずしも内燃機関の正確な始動タイミングを運転者に通知するものでもない。
【００２５】
そこで、本発明に係るハイブリッド車両の制御装置は、抑制手段が車速及びアクセル開度に基づいてこの比率の変化を抑制する構成となっている。従って、本発明に係るハイブリッド車両の制御装置によれば、運転者の感覚と乖離した比率の変化が抑制され、運転者に与える違和感又は不快感を抑制することが可能となる。
【００２６】
尚、抑制手段に係る具体的な抑制の態様について、車速及びアクセル開度を具体的に数値化して規定することは、本発明の本質的技術思想を減縮するものである。即ち、本発明は、アクセル開度及び車速によって規定されるハイブリッド車両の走行条件によっては、駆動力要件の始動要求出力値が閾値としての役割を十分に果たし得ない点を新規に見出してなされたものであって、表示される比率の変化を抑制する旨の技術思想に進歩性を有するものである。
【００２７】
但し、定性的な観点から好適な一形態について述べれば、抑制手段は、例えば、アクセル開度が一定である又は増加する場合且つ車速が上昇する場合において、中車速領域且つ中アクセル開度領域における当該比率の減少側への変化を抑制する。比率の増加側への変化は、要求駆動力の増加に伴う現在の出力の始動要求出力への接近を意味するところ、抑制する必要がないと考えてよいからである。
【００２８】
本発明に係るハイブリッド車両の制御装置の一の態様では、前記第１算出手段は、前記回転電機のみを動力源として前記ハイブリッド車両が走行する期間において、前記回転電機の出力が不足することにより前記内燃機関の始動が必要とされる前記ハイブリッド車両の第２の要求出力値を更に算出し、前記表示制御手段は、前記算出された第１の要求出力値及び第２要求出力値のうち小さい方の値と、前記算出された現在の出力値との比率が表示されるように前記表示手段を制御し、前記抑制手段は、前記算出された第１の要求出力値と前記算出された現在の出力値との比率が表示されている場合に、前記表示される比率の変化を抑制する（請求項２）。
【００２９】
この態様によれば、回転電機の出力不足に起因して内燃機関の始動が要求される第２の要求出力値が算出され、第１の要求出力値と第２の要求出力値とのうち小さい方の値が比率の算出に適用される。即ち、換言すれば、駆動力要件に基づく比率と、出力要件に基づく比率とのうち、大きい方の値が表示される。従って、運転者は、内燃機関の始動タイミングをより正確に把握することができる。
【００３０】
また、第２の要求出力値は、第１の要求出力値と異なり、出力要件で定まる値であるから、バッテリのＳＯＣや充放電制限値等を除けば、車両の走行条件に影響を受けない。従って、第２の要求出力値が適用された比率は、運転者の感覚から乖離した挙動を示すことがない。即ち、第２の要求出力値が適用された比率が表示されている期間については、抑制手段に係る比率の変化抑制に係る措置は必要とならない。この態様によれば、第１の要求出力値が適用された比率についてのみ、比率の変化抑制に係る措置が講じられるため、効率的であり、且つ正確である。
【００３１】
本発明に係るハイブリッド車両の制御装置の他の態様では、前記抑制手段は、前記車速及びアクセル開度により定まる前記ハイブリッド車両の走行領域が所定の領域に該当する場合に、前記表示される比率を維持する（請求項３）。
【００３２】
この態様によれば、アクセル開度及び車速により定まる走行領域が所定領域に該当する場合には、表示される比率が維持される。従って、比較的簡便に本発明に係る実践上の利益を享受することができる。
【００３３】
本発明に係るハイブリッド車両の制御装置の他の態様では、前記抑制手段は、前記アクセル開度が一定である又は増加している場合且つ前記車速が上昇している場合における前記比率の減少を抑制する（請求項４）。
【００３４】
駆動力要件に基づく比率が不自然な減少変化を示すのは、顕著には、車速が上昇して第１始動要求出力値が上昇している場合であって、且つ、現在の出力値が従前の値から大きく変化しない、アクセル開度が一定であるか又は増加している場合である。
【００３５】
この態様によれば、アクセル開度が一定又は増加している場合且つ車速が上昇している場合における比率の減少が抑制される。従って、運転者に与える違和感又は不快感を効率的且つ効果的に抑制することができる。
【００３６】
本発明のこのような作用及び他の利得は次に説明する実施形態から明らかにされる。
【図面の簡単な説明】
【００３７】
【図１】本発明の第１実施形態に係るハイブリッド車両の構成を概念的に表してなる概略構成図である。
【図２】図１のハイブリッド車両におけるハイブリッド駆動装置の概略構成図である。
【図３】図１のハイブリッド車両におけるインジケータの表示内容を例示する図である。
【図４】図１のハイブリッド車両において実行されるインジケータ制御処理のフローチャートである。
【図５】図４のインジケータ制御処理におけるヒステリシス値の概念を説明する図である。
【図６】本発明の第２実施形態に係るインジケータ制御処理のフローチャートである。
【図７】図６のインジケータ制御処理における反映係数の概念を説明する図である。
【発明を実施するための形態】
【００３８】
＜発明の実施形態＞
以下、図面を参照して、本発明の各種実施形態について説明する。
【００３９】
＜実施形態の構成＞
始めに、図１を参照し、本発明の第１実施形態に係るハイブリッド車両１の構成について説明する。ここに、図１は、ハイブリッド車両１の構成を概念的に表してなる概略構成図である。
【００４０】
図１において、ハイブリッド車両１は、ＥＣＵ（Electronic Control Unit：電子制御装置）１００、ハイブリッド駆動装置１０、ＰＣＵ（Power Control Unit）２０、バッテリ３０、インジケータ４０、センサ群５０、切り替え装置６０及びプラグ６１を備えた、本発明に係る「ハイブリッド車両」の一例である。
【００４１】
ＥＣＵ１００は、ＣＰＵ、ＲＯＭ及びＲＡＭ等を備え、ハイブリッド車両１の各部の動作を制御可能に構成された電子制御ユニットであり、本発明に係る「ハイブリッド車両の制御装置」の一例である。ＥＣＵ１００は、ＲＯＭに格納された制御プログラムに従って、後述する「インジケータ制御処理」を実行することができる。
【００４２】
ＰＣＵ２０は、バッテリ３０から取り出した直流電力を交流電力に変換して後述するモータジェネレータＭＧ１及びモータジェネレータＭＧ２に供給すると共に、モータジェネレータＭＧ１及びモータジェネレータＭＧ２によって発電された交流電力を直流電力に変換してバッテリ３０に供給可能に構成された不図示のインバータ２２を含み、バッテリ３０と各モータジェネレータとの間の電力の入出力を、或いは各モータジェネレータ相互間の電力の入出力（即ち、この場合、バッテリ３０を介さずに各モータジェネレータ相互間で電力の授受が行われる）を制御可能に構成された制御ユニットである。ＰＣＵ２０は、ＥＣＵ１００と電気的に接続されており、ＥＣＵ１００によってその動作が制御される構成となっている。
【００４３】
バッテリ３０は、モータジェネレータＭＧ１及びモータジェネレータＭＧ２を力行するための電力に係る電力供給源として機能する充電可能な二次電池ユニットである。バッテリ３０は、例えばリチウムイオンバッテリセル等の単位電池セルが複数（例えば、数百個）直列に接続された構成を有している。
【００４４】
インジケータ４０は、ハイブリッド車両１の運転席付近（例えば、コンソールパネルやメーターフード内）に設置された不図示の表示部含む、本発明に係る「表示手段」の一例である。インジケータ４０の表示部には、後述するインジケータ制御処理においてエンジン始動タイミング情報が表示される構成となっている。尚、インジケータ４０は、ＥＣＵ１００と電気的に接続されており、インジケータ４０における表示部の表示内容は、ＥＣＵ１００により制御される構成となっている。
【００４５】
センサ群５０は、ハイブリッド車両１の状態を検出する各種センサの総体的呼称である。センサ群５０は、バッテリ温度センサ５１、アクセル開度センサ５２、ＳＯＣセンサ５３及び車速センサ５４を少なくとも含む。
【００４６】
バッテリ温度センサ５１は、バッテリ３０の温度であるバッテリ温度Ｔｂａｔを検出するセンサである。バッテリ温度センサ５１は、ＥＣＵ１００と電気的に接続されており、検出されたバッテリ温度Ｔｂａｔは、ＥＣＵ１００により適宜参照される構成となっている。
【００４７】
アクセル開度センサ５２は、アクセルペダルの開度であるアクセル開度Ｔａを検出するセンサである。アクセル開度センサ５２は、ＥＣＵ１００と電気的に接続されており、検出されたアクセル開度Ｔａは、ＥＣＵ１００により適宜参照される構成となっている。
【００４８】
ＳＯＣセンサ５３は、バッテリ３０の充電残容量であるＳＯＣを検出するセンサである。ＳＯＣセンサ５３は、ＥＣＵ１００と電気的に接続されており、検出されたＳＯＣは、ＥＣＵ１００により適宜参照される構成となっている。
【００４９】
車速センサ５４は、ハイブリッド車両１の車速Ｖを検出するセンサである。車速センサ５４は、ＥＣＵ１００と電気的に接続されており、検出された車速Ｖは、ＥＣＵ１００により適宜参照される構成となっている。
【００５０】
切り替え装置６０は、バッテリ３０の充電態様を、外部充電と内部充電との間で切り替えるためのスイッチング装置である。切り替え装置６０には、充電プラグ６１が接続されている。充電プラグ６１は、インフラ設備としての充電スタンドや家庭用電源等、外部に設置された電力供給源から電力の供給を受けるためのプラグである。充電プラグ６１が差し込み口に差し込まれると、切り替え装置６０のスイッチング状態は外部充電側に切り替わる構成となっている。尚、切り替え装置６０は、ＥＣＵ１００と電気的に接続されており、切り替え装置６０のスイッチング状態は、ＥＣＵ１００により制御される構成となっている。ハイブリッド車両１は、このように外部電源から電力供給を受けることが可能であり、所謂プラグインハイブリッド車両の一例を構成している。
【００５１】
ハイブリッド駆動装置１０は、ハイブリッド車両１のパワートレインである。ここで、図２を参照し、ハイブリッド駆動装置１０の詳細な構成について説明する。ここに、図２は、ハイブリッド駆動装置１０の構成を概念的に表してなる概略構成図である。尚、同図において、図１と重複する箇所には同一の符号を付してその説明を適宜省略することとする。
【００５２】
ハイブリッド駆動装置１０は、エンジン２００、動力分割機構３００、入力軸４００、駆動軸５００、減速機構６００、モータジェネレータＭＧ１（以下、適宜「ＭＧ１」と略称する）、モータジェネレータＭＧ２（以下、適宜「ＭＧ２」と略称する）を備える。
【００５３】
エンジン２００は、ハイブリッド車両１の主たる動力源として機能する、本発明に係る「内燃機関」の一例たるガソリンエンジンである。
【００５４】
エンジン２００は、気筒内部に形成された燃焼室で混合気が燃焼した際に生じる爆発力に応じて気筒内部で往復運動を生じるピストンを備える。このピストンの往復運動は、コネクティングロッドを介してクランク軸の回転運動に変換され、クランク軸と連結された入力軸４００から取り出される構成となっている。尚、エンジン２００の詳細な構成は、本発明との関係性が低いため、ここでは省略することとする。また、ここではエンジン２００がガソリンエンジンであるとしたが、本発明に係る「内燃機関」の採り得る実践的態様は多岐にわたる。例えば、本発明に係る「内燃機関」は、燃料種別、気筒配列、気筒数、燃料供給態様、動弁系の構成及び吸排気系の構成等において自由である。
【００５５】
モータジェネレータＭＧ１は、電気エネルギを運動エネルギに変換する力行機能と、運動エネルギを電気エネルギに変換する回生機能とを備えた電動発電機である。
【００５６】
モータジェネレータＭＧ２は、モータジェネレータＭＧ１よりも体格の大きい電動発電機であり、モータジェネレータＭＧ１と同様に、電気エネルギを運動エネルギに変換する力行機能と、運動エネルギを電気エネルギに変換する回生機能とを備えた、本発明に係る「回転電機」の一例である。
【００５７】
モータジェネレータＭＧ１及びＭＧ２は、同期電動発電機として構成され、例えば外周面に複数個の永久磁石を有するロータと、回転磁界を形成する三相コイルが巻回されたステータとを備えるが、無論他の構成を有していてもよい。
【００５８】
動力分割機構３００は、相互に差動作用をなす複数の回転要素を備えた公知の遊星歯車機構である。
【００５９】
動力分割機構３００は、中心部に設けられたサンギアＳ１と、サンギアＳ１の外周に同心円状に設けられたリングギアＲ１と、サンギアＳ１とリングギアＲ１との間に配置されてサンギアＳ１の外周を自転しつつ公転する複数のピニオンギア（不図示）と、これら各ピニオンギアの回転軸を軸支するキャリアＣ１とを備える。
【００６０】
サンギアＳ１は、エンジン２００の出力トルクであるエンジントルクＴｅに対する反力トルクを負担するための反力要素であり、モータジェネレータＭＧ１のロータが固定される出力回転軸に固定されている。従って、サンギアＳ１の回転速度は、モータジェネレータＭＧ１の回転速度たるＭＧ１回転速度Ｎｍｇ１と等価である。
【００６１】
リングギアＲ１は、動力分割機構３００の出力要素であり、動力分割機構３００の動力出力軸である駆動軸５００に、その回転軸を共有する形で連結されている。尚、駆動軸５００は、デファレンシャル等を介してハイブリッド車両１の駆動輪ＤＷに間接的に連結されている。
【００６２】
キャリアＣ１は、トーションダンパＴＤＰを介してエンジン２００のクランク軸に連結される入力軸４００に、その回転軸を共有する形で連結されており、その回転速度は、エンジン２００の機関回転数ＮＥと等価である。
【００６３】
動力分割機構３００は、上述した構成の下で、エンジン２００から入力軸４００に供給されるエンジントルクＴｅを、キャリアＣ１によってサンギアＳ１及びリングギアＲ１に所定の比率（各ギア相互間のギア比に応じた比率）で分配し、エンジン２００の動力を２系統に分割することが可能である。
【００６４】
この際、動力分割機構３００の動作を分かり易くするため、リングギアＲ１の歯数に対するサンギアＳ１の歯数としてのギア比ρを定義すると、エンジン２００からキャリアＣ１に対しエンジントルクＴｅを作用させた場合に、サンギアＳ１に作用するトルクＴｅｓは下記（１）式により、また駆動軸５００に現れる直達トルクＴｅｐは下記（２）式により、夫々表される。
【００６５】
Ｔｅｓ＝−Ｔｅ×ρ／（１＋ρ）・・・（１）
Ｔｅｐ＝Ｔｅ×１／（１＋ρ）・・・（２）
減速機構６００は、駆動軸５００とモータジェネレータＭＧ２との間に介装された、サンギアＳ２、リングギアＲ２、ピニオンギア（不図示）及びキャリアＣ２の各回転要素を備えた遊星歯車機構である。
【００６６】
減速機構６００において、サンギアＳ２は、モータジェネレータＭＧ２のロータに固定された出力回転軸に固定されている。また、キャリアＣ２は、ハイブリッド駆動装置１０の外郭ケースに回転不能に固定されている。更に、リングギアＲ２は、駆動軸５００に連結されている。係る構成において、減速機構６００は、モータジェネレータＭＧ２の回転速度たるＭＧ２回転速度Ｎｍｇ２を、駆動軸５００に対し、各回転要素（ギア）のギア比に応じて定まる減速比に従って減速して伝達することが出来る。尚、ハイブリッド駆動装置１０において、ＭＧ２回転速度Ｎｍｇ２は、車速Ｖと一義的な関係にある。
【００６７】
尚、減速機構６００の構成は、モータジェネレータＭＧ２の回転を減速する機構の採り得る一形態に過ぎず、この種の減速機構は実践上多様な形態を有し得る。また、この種の減速機構は、必ずしもハイブリッド駆動装置に備わっておらずともよい。即ち、モータジェネレータＭＧ２は、駆動軸５００に直結されていてもよい。
【００６８】
＜実施形態の動作＞
次に本実施形態の動作について説明する。
【００６９】
＜ハイブリッド車両１の走行モード＞
ハイブリッド車両１は、ハイブリッド駆動装置１０と駆動輪ＤＷとの間の動力伝達態様を規定する走行モードとして、ＣＳ（Charge Sustaining）モードとＣＤ（Charge Depleting）モードとを有する。
【００７０】
ＣＳモード（ＨＶ（Hybrid Vehicle）モード等とも称される）は、動力分割機構３００の動力分割作用を利用して、エンジントルクＴｅの一部である直達トルクＴｅｒと、モータジェネレータＭＧ２の出力トルクであるＭＧ２トルクＴｍｇ２とを協調的に駆動軸５００に作用させるモードである。ＣＳモードでは、エンジントルクＴｅの他の一部である反力トルクＴｅｓを利用して、モータジェネレータＭＧ１の出力トルクであるＭＧ１トルクＴｍｇ１により電力回生、即ち発電もまた行われる。
【００７１】
この際、エンジン２００の動作点（機関回転数ＮＥとエンジントルクＴｅとにより規定される動作条件）は、ＭＧ１トルクＴｍｇ１を反力トルクとして利用したハイブリッド駆動装置１０の電気的ＣＶＴ（Continuously Variable Transmission）機能により、自由に設定可能である。エンジン２００の動作点は、好適な一形態として、エンジン２００の燃料消費率（燃費）が最小となる最適燃費動作点に制御される。
【００７２】
一方、ＭＧ２トルクＴｍｇ２は、基本的には、駆動軸５００に要求される駆動軸要求トルクＴｐｎに対して直達トルクＴｅｐでは不足する分を補うように制御される。即ち、ＣＳモードでは、ＭＧ２トルクＴｍｇ２とエンジントルクＴｅとの協調制御がなされる。
【００７３】
例えば、この協調制御においては、バッテリ３０のＳＯＣが目標値としての目標ＳＯＣに維持されるように、モータジェネレータＭＧ１の発電量と、モータジェネレータＭＧ２の放電量或いは更に補機装置の放電量とが絶えず調整される。例えば、バッテリ３０のＳＯＣが目標ＳＯＣよりも高ければ、駆動軸要求トルクに対するＭＧ２トルクＴｍｇ２の比率が増やされる、或いは、バッテリ３０の放電制限値が拡大される等して電力収支は放電側に傾き、反対に目標ＳＯＣよりも低ければ当該比率が減らされる、或いは、バッテリ３０の充電要求値が増量される等して電力収支は充電側に傾く。
【００７４】
これに対し、ＣＤモード（ＥＶ（Electric Vehicle）モードとも称される）は、ＭＧ２トルクＴｍｇ２のみを駆動軸５００に作用させ、モータジェネレータＭＧ２の動力のみによりハイブリッド車両１を走行させるモードである。ＣＤモードでは、基本的にエンジン２００は機関停止状態とされるため（尚、補機装置に対する電力供給のための最低限の機関稼動がなされる場合もある）、燃料消費はゼロか、或いは無視し得る程度に少ない。但し、ＣＤモードは、バッテリ３０の電力収支上は、放電側に傾いた走行モードであるから、バッテリ３０のＳＯＣは基本的に減少し続ける。従って、ＣＤモードは、バッテリ３０のＳＯＣも考慮してその実行可否が決定される。
【００７５】
＜インジケータ制御処理の概要＞
補機用発電のためのエンジン稼動を伴う場合を除きエンジン２００が機関停止状態となるＣＤモード走行時においては、所定の条件が満たされた場合にエンジン２００が始動する。このエンジン始動タイミングを運転者に通知することは、経済的走行を奨励する意味においても、また経済的走行を志向する運転者に判断基準を与える意味においても有益である。このため、ハイブリッド車両１では、インジケータ４０にエンジン始動タイミングに関する情報が表示される。
【００７６】
ここで、図３を参照し、インジケータ４０の表示内容について視覚的に説明する。ここに、図３は、インジケータ４０の表示内容を例示する図である。尚、同図において、図１と重複する箇所については同一の符号を付してその説明を適宜省略することとする。
【００７７】
図３において、インジケータ４０の表示部には、出力バー４１が表示される。出力バー４１は、左端が出力０（ｋＷ）に相当し、右端がＣＤモードで走行可能な最大出力値Ｐｍａｘに相当する表示枠である。この出力バー４１には、当該最大出力値Ｐｍａｘに対する現在のハイブリッド車両１の出力値である現在出力値（即ち、本発明に係る「現在の出力値」の一例）であり、本実施形態では、便宜上、ハイブリッド車両１の要求出力値Ｐｎと等しいものとして扱う）の割合（％）が、表示値Ｉ（図示ハッチング表示参照）として表示される。
【００７８】
表示値Ｉが出力バー４１の右端に相当する最大出力値Ｐｍａｘ（即ち、１００％）に達すると、或いは、最大出力値を超えると、エンジン２００が始動する。従って、運転者は、表示値Ｉの推移を見守りつつ、表示値Ｉが最大値に達さないような運転を心掛けることで、経済的走行を継続することができる。
【００７９】
尚、エンジン２００が始動すると、走行モードはＣＳモードに移行するため、インジケータ４０の表示内容は、出力バー４１の右側に位置するＣＳモード用の表示バーがメインとなる（図示ＣＳ領域参照）。また、ハイブリッド車両１の出力値がゼロとなると、ハイブリッド車両１は非走行状態と認識され、インジケータ４０の表示内容は、充電用の表示バーがメインとなる（図示ＣＨＧ領域参照）。但し、インジケータ４０における情報の表示内容や表示方法は、個別具体的に各種の変更を加えることができる。
【００８０】
ところで、この出力バー４１の右端に相当する最大出力値Ｐｍａｘには、第１最大出力値Ｐｍａｘ１（本発明に係る「第１の要求出力値」の一例）と、第２最大出力値Ｐｍａｘ２（本発明に係る「第２の要求出力値」の一例）の二種類存在する。
【００８１】
第２最大出力値Ｐｍａｘ２は、モータジェネレータＭＧ２の物理的な最大出力値であり、モータジェネレータＭＧ２の仕様に加えて、バッテリ３０の放電制限値Ｗｏｕｔ、ＳＯＣ、或いはバッテリ温度Ｔｂａｔ等に応じて定まる値である。第２最大出力値Ｐｍａｘは、バッテリ３０のＳＯＣが十分に高ければ、基本的に一のＣＤモード走行期間において殆ど変化しない。従って、最大出力値Ｐｍａｘが第２最大出力値Ｐｍａｘ２である場合のインジケータ４０の表示値Ｉは、アクセル開度Ｔａが増加する等して要求出力値Ｐｎが上昇すれば増加し、アクセル開度Ｔａが減少する等して要求出力値Ｐｎが減少すれば減少する。即ち、表示値Ｉが不自然な変化を示すことはなく、表示値Ｉは、運転者の感覚と整合する。
【００８２】
一方、第１最大出力値Ｐｍａｘ１は、駆動輪ＤＷが要求する駆動力Ｆ（即ち、要求駆動力Ｆｔ）により定まる値である。駆動力は、タイヤ径やデファレンシャルのギア比及び減速機構６００のギア比等を考慮することによって、駆動軸５００の要求トルク、即ち上述した駆動軸要求トルクＴｐｎに変換することができる。駆動軸要求トルクＴｐｎが、モータジェネレータＭＧ２の出力トルクであるＭＧ２トルクＴｍｇ２の物理的限界値を超えると、要求出力値ＰｎがＭＧ２の出力可能範囲内であっても、駆動力要件（トルク要件）が満たされないことからエンジン２００は始動する。
【００８３】
ここで、出力値は、トルク値と回転数との積に比例するから、駆動軸要求トルクＴｐｎの値は、車速を考慮することによって出力値に単位換算することができる。その結果、第１最大出力値Ｐｍａｘ１は、駆動軸要求トルクＴｐｎが一定であったとしても、車速の上昇に伴って増加する。
【００８４】
従って、最大出力値Ｐｍａｘとして第１最大出力値Ｐｍａｘ１が適用されている場合、出力バー４１の右端の値が車速の上昇に伴って変化することになる。その結果、表示値Ｉは、場合により車速の上昇に伴って減少する。このような表示値Ｉの不自然な減少変化は運転者の感覚と整合しないため、運転者に違和感又は不快感を与える要因となる。このような現象及び問題は、例えば、要求出力値Ｐｎが大きく変化しない場合、例えばアクセル開度が一定で車速のみが上昇する場合等において顕著に生じ得る。
【００８５】
尚、このような問題は、インジケータ４０の出力バー４１を出力スケールで共通化しようとした場合に生じる問題である。しかしながら、運転者側の視点に立てば、エンジン２００の始動ポイントが判断できればよいのであるから、エンジン２００の始動タイミングに関連する情報が複数表示されることは望ましくない。即ち、実践的運用面においては、インジケータ４０に、出力要件に基づく始動タイミング（最大出力値Ｐｍａｘとして第２最大出力値Ｐｍａｘ２が適用された場合の表示値Ｉにより規定される始動タイミング）と、駆動力要件に基づく始動タイミング（最大出力値Ｐｍａｘとして第１最大出力値Ｐｍａｘ１が適用された場合の表示値Ｉにより規定される始動タイミング）とのうち、早期に訪れると判断される一方（即ち、端的には相対的に大きい方の表示値Ｉ）が表示されるのが望ましい。従って、上述した問題を解決するための処理が必要となる。インジケータ制御処理は、このような問題を解決するための処理である。
【００８６】
＜インジケータ制御処理の詳細＞
次に、インジケータ制御処理の詳細について説明する。ここに、図４は、インジケータ制御処理のフローチャートである。尚、インジケータ制御処理は、ＣＤモード走行時に、所定周期で繰り返し実行される処理である。
【００８７】
図４において、ＥＣＵ１００は、インジケータ４０の表示制御に必要な各種情報を取得する（ステップＳ１０１）。本実施形態では、車速Ｖ、アクセル開度Ｔａ、第１最大出力値Ｐｍａｘ１及び第２最大出力値Ｐｍａｘ２が取得される。
【００８８】
尚、第１最大出力値Ｐｍａｘ１は、先に述べたように駆動力要件に基づく最大出力値であり、ＭＧ２トルクＴｍｇ２の最大値Ｔｍｇ２ｍａｘに、ＭＧ２回転速度Ｎｍｇ２を乗じることによって得られる。尚、ＭＧ２回転速度Ｎｍｇ２は、図２において不図示のレゾルバ等により検出される回転角を時間微分することによって算出されてもよいが、先述したようにＭＧ２回転速度Ｎｍｇ２は駆動軸５００の回転速度に等しいので、車速Ｖと減速機構６００の減速比等から求められる駆動軸５００の回転速度で代用されてもよい。また、第２最大出力値Ｐｍａｘ２は、出力要件に基づく最大値であり、先述したように、モータジェネレータＭＧ２の仕様と、バッテリ３０のＳＯＣや充放電制限値等から求められる。
【００８９】
各種の情報が取得されると、最大出力値Ｐｍａｘが決定される（ステップＳ１０２）。最大出力値Ｐｍａｘは、ステップＳ１０１で取得された第１最大出力値Ｐｍａｘ１と第２最大出力値Ｐｍａｘ２とのうち小さい方の値に決定される。
【００９０】
最大出力値Ｐｍａｘが決定されると、インジケータ４０の表示値Ｉの基準値である基準表示値Ｉｂ（％）が下記（３）式に従って算出される（ステップＳ１０３）。
【００９１】
Ｉｂ＝Ｐｎ／Ｐｍａｘ・１００…（３）
上記（３）式において、Ｐｎは先述したようにハイブリッド車両１の要求出力値である。ＣＤモードにおいてはモータジェネレータＭＧ２により要求出力が賄われるので、要求出力値Ｐｎは、モータジェネレータＭＧ２の現在の出力値と等価である。
【００９２】
要求出力値Ｐｎは、車速Ｖ及びアクセル開度Ｔａから公知の手法により求められる。例えば、要求出力値Ｐｎを求めるにあたっては、車速Ｖ及びアクセル開度Ｔａからハイブリッド車両１の要求駆動力Ｆｔが決定される。要求駆動力Ｆｔは、例えば要求駆動力マップから該当値を選択すること等により行われる。要求駆動力Ｆｔが求まると、要求駆動力Ｆｔが、駆動軸５００の要求トルクである駆動軸要求トルクＴｐｎに換算される。駆動軸要求トルクＴｐｎが求められると、駆動軸要求トルクＴｐｎ及び駆動軸５００の回転速度から駆動軸要求出力値が求められる。ハイブリッド車両１の要求出力値Ｐｎは、厳密には、この駆動軸要求出力値に補機消費用の出力値を加算した値であるが、ここでは補機消費用の出力値を無視する。従って、ここでは、駆動軸要求出力値が要求出力値Ｐｎとして扱われる。尚、これは制御の一例である。
【００９３】
基準表示値Ｉｂが決定されると、ヒステリシス値ｈｓが決定される（ステップＳ１０４）。ヒステリシス値ｈｓは、インジケータ４０の表示値Ｉｂの変化を抑制するための一種の補正値である。ヒステリシス値ｈｓは、予めＲＯＭやフラッシュメモリ等の記憶手段に、車速Ｖ及びアクセル開度Ｔａに対応付けられて（例えば、制御マップとして）記憶されている。
【００９４】
ヒステリシス値ｈｓが求まると、ＥＣＵ１００は、このヒステリシス値ｈｓに基づいたヒステリシス処理を行い、最終的な表示値Ｉを決定する（ステップＳ１０５）。表示値Ｉが決定されると、この表示値Ｉがインジケータ４０の表示部に表示され、インジケータ制御処理が終了する。尚、既に述べたように、インジケータ制御処理は、所定周期で繰り返される処理であり、終了後所定のインタバルを経て再びステップＳ１０１から実行される。
【００９５】
ここで、図５を参照し、ヒステリシス値ｈｓの詳細について説明する。ここに、図５は、ヒステリシス値の概念を説明する図である。
【００９６】
図５において、ヒステリシス値ｈｓは、車速Ｖ及びアクセル開度Ｔａによって規定される同心矩形環状領域（即ち、破線で囲まれた各領域である）毎に、０〜１８の値が与えられている。図示の通り、ヒステリシス値ｈｓは、外側の同心矩形環状領域程小さい値となっており、５０ｋｍ／ｈ程度の中間車速且つＴａ＝３５％程度の中間アクセル開度において最大値１８を採る。
【００９７】
尚、図５では、ヒステリシス値ｈｓがある範囲（例えば、１６〜１８）となる走行条件が一の同心矩形環状領域としてまとめて表示されているが、実際のヒステリシス値ｈｓは、車速Ｖ及びアクセル開度Ｔａにより規定される一の走行条件について、一の固定値を採る。尚、最も外側の同心矩形環状領域よりも外側の領域では、ヒステリシス値ｈｓ＝０（即ち、最小値）である。
【００９８】
ヒステリシス値ｈｓが持つ意味は、ヒステリシス処理の内容により異なるが、本実施形態では、ヒステリシス値ｈｓが大きい程、インジケータ４０の表示値Ｉの変化が抑制される結果となる。
【００９９】
ここで、具体的なヒステリシス処理について例示する。
【０１００】
＜ヒステリシス処理の第１の例＞
本実施形態に係るヒステリシス処理は、例えば下記（４）式及び（５）式に従って実行される。尚、インジケータ４０の現在の表示値をＩ（ｉ）とし、更新後のインジケータ４０の表示値をＩ（ｉ＋１）とする。
【０１０１】
Ｉ（ｉ＋１）＝Ｉｂ…（４）
Ｉ（ｉ＋１）＝Ｉ（ｉ）−（Ｉ（ｉ）−Ｉｂ）＋ｈｓ…（５）
ここで、上記（４）式が適用された場合、基準表示値Ｉｂがそのまま更新値Ｉ（ｉ＋１）として使用されるので、表示値Ｉの変化は抑制されない。上記（４）式は、下記（４ａ）又は（４ｂ）の条件が満たされた場合に適用される。
【０１０２】
Ｐｍａｘ＝Ｐｍａｘ２…（４ａ）
Ｉ（ｉ）≦Ｉｂ…（４ｂ）
即ち、最大出力値Ｐｍａｘとして出力要件に基づく第２最大出力値Ｐｍａｘ２が適用される場合には、表示値Ｉの信頼性が低下することはないので、表示値Ｉの変化は抑制されない（条件４ａ）。また、表示値Ｉの増加側の変化については、表示値Ｉの信頼性が低下することはないので、表示値Ｉの変化は抑制されない（条件４ｂ）。
【０１０３】
上記（５）式が適用された場合、表示値Ｉは、その変化がヒステリシス値ｈｓに応じて抑制される。上記（５）式は、下記（５ａ）及び（５ｂ）の条件が満たされた場合に適用される。
【０１０４】
Ｐｍａｘ＝Ｐｍａｘ１…（５ａ）
Ｉ（ｉ）＞Ｉｂ…（５ｂ）
即ち、最大出力値Ｐｍａｘとして駆動力要件に基づく第１最大出力値Ｐｍａｘ１が適用され（条件５ａ）、且つ表示値Ｉが減少側に変化する場合（条件５ｂ）に限って、表示値Ｉの変化が抑制される。尚、上記（５）式が適用される場合、更新値Ｉ（ｉ＋１）の最大値は、現在値Ｉ（ｉ）である。即ち、絶対値がヒステリシス値ｈｓを超えない表示値Ｉの減少変化は全て無視され、表示値Ｉは維持される。また、絶対値がヒステリシス値ｈｓを超える減少変化については、表示値Ｉの減少幅がヒステリシス値ｈｓの分だけ相殺される。
【０１０５】
＜ヒステリシス処理の第２の例＞
上記（５）式は、下記（６）式に置換されてもよい。
【０１０６】
Ｉ（ｉ＋１）＝Ｉ（ｉ）−（Ｉ（ｉ）−Ｉｂ）／ｈｓ…（６）
上記（６）式が適用される場合、表示値Ｉの減少要求（即ち、ステップＳ１０３で求められる基準表示値Ｉｂが現在値Ｉ（ｉ）よりも小さい場合）に対し、表示値Ｉは減少するものの、その減少量がヒステリシス値ｈｓに応じて相殺される。従って、表示値Ｉの減少変化が抑制される。尚、当然ながら、上記（６）式が適用される前提においては、ヒステリシス値ｈｓの最小値は「１」である。
【０１０７】
このように、本実施形態に係るインジケータ制御処理によれば、駆動力要件に基づく第１最大出力値Ｐｍａｘ１が車速Ｖの関数となることに起因して中間車速領域且つ中間アクセル開度領域において顕著に生じるインジケータ４０の表示値Ｉの不自然な減少変化が、ヒステリシス処理により抑制される。このため、表示値Ｉが運転者に与える違和感や不快感が緩和され、理想的には防止される。
【０１０８】
尚、図４には例示されていないが、インジケータ４０の表示値Ｉの不自然な減少側への変化が生じるのは、顕著には、車速Ｖが上昇している場合、且つ、アクセル開度Ｔａの上昇幅が所定値以内の場合である。この点に鑑みれば、図４において、ステップＳ１０３とステップＳ１０４との間に、車速Ｖ及びアクセル開度Ｔａの判定処理を挿入してもよい。より具体的には、車速Ｖが上昇していない場合、又はアクセル開度Ｔａが減少しているか、或いは大きく上昇している場合については、基準表示値Ｉｂを表示値Ｉとして決定してもよい。
【０１０９】
＜第２実施形態＞
第１実施形態では、主として中車速領域且つ中間アクセル開度領域において顕著に発生する、表示値Ｉの不自然な減少変化を抑制する手法について説明した。第２実施形態では、この第１実施形態の効果を維持しつつ、更に低車速領域且つ小アクセル開度領域において発生し得る表示値Ｉの不自然な増量変化を抑制可能なインジケータ制御処理について、図６を参照して説明する。ここに、図６は、第２実施形態に係るインジケータ制御処理のフローチャートである。尚、同図において、図４と重複する箇所については同一の符号を付してその説明を適宜省略することとする。
【０１１０】
図６において、基準表示値Ｉｂが決定されると（ステップＳ１０３）、反映係数Ｋが決定される（ステップＳ２０１）。反映係数Ｋは、表示値Ｉへの基準表示値Ｉｂの反映の度合いを表す係数である。反映係数Ｋは、予めＲＯＭやフラッシュメモリ等の記憶手段に、車速Ｖ及びアクセル開度Ｔａに対応付けられて（例えば、制御マップとして）記憶されている。
【０１１１】
反映係数Ｋが決定されると、ＥＣＵ１００は、下記（７）式に従って補正基準表示値Ｉｂｃを算出する（ステップＳ２０２）。
【０１１２】
Ｉｂｃ＝Ｋ・Ｉｂ…（７）
補正基準表示値Ｉｂｃが算出されると、この補正基準表示値Ｉｂｃに基づいて第１実施形態と同様のヒステリシス処理が実行される（ステップＳ１０４、Ｓ１０５）。
【０１１３】
ここで、図７を参照し、反映係数Ｋについて説明する。ここに、図７は、反映係数Ｋの概念を説明する図である。
【０１１４】
図７において、反映係数Ｋは、車速Ｖ及びアクセル開度Ｔａによって規定される図示帯状領域（破線で囲まれた各ハッチング領域）毎に、０〜１の値が与えられている。図示の通り、反映係数Ｋは、低車速側程、又小アクセル開度側程小さい値となっている。
【０１１５】
尚、図７では、反映係数Ｋがある範囲（例えば、０〜０．１）となる走行条件が一の帯状領域としてまとめて表示されているが、実際の反映係数Ｋは、車速Ｖ及びアクセル開度Ｔａにより規定される一の走行条件について、一の固定値を採る。尚、反映係数Ｋが０．９〜１．０の値を採る最も外側の帯状領域よりも外側の領域では、反映係数Ｋ＝１（最大値）である。
【０１１６】
ここで、上記（７）式に従って算出される補正基準表示値Ｉｂｃが適用された場合、低車速且つ小アクセル開度に該当する走行領域（例えば、クリープ走行領域）においては、インジケータ４０の基準表示値Ｉｂが実質的に０相当の小さい値となる。即ち、基準表示値Ｉｂは、殆ど表示値Ｉに反映されなくなる。
【０１１７】
駆動力要件に基づく第１最大出力値Ｐｍａｘ１は、上述した通り車速の高低に応じて夫々増減する。このため、第１実施形態で述べた中間車速領域且つ中間アクセル開度領域における表示値Ｉの不自然な減少変化とは逆に、第１最大出力値Ｐｍａｘ１が極度に小さくなる低車速領域且つ小アクセル開度領域においては、インジケータ４０の表示値Ｉが不自然に増加する。
【０１１８】
このような問題に対し、本実施形態に係るインジケータ制御処理によれば、上記不自然な増加変化が生じる走行領域については、反映係数Ｋによってインジケータ４０の基準表示値Ｉｂが減少補正される。このため、表示値Ｉが運転者に与える違和感や不快感が緩和され、理想的には防止される。
【０１１９】
尚、第１及び第２実施形態において参照された車速Ｖ及びアクセル開度Ｔａの値は全て例示であり、これらの具体的な数値については、自由に変更することができる。
【０１２０】
本発明は、上述した実施形態に限られるものではなく、請求の範囲及び明細書全体から読み取れる発明の要旨或いは思想に反しない範囲で適宜変更可能であり、そのような変更を伴うハイブリッド車両の制御装置もまた本発明の技術的範囲に含まれるものである。
【産業上の利用可能性】
【０１２１】
本発明は、ハイブリッド車両のバッテリ保護に適用可能である。
【符号の説明】
【０１２２】
１…ハイブリッド車両、１０…ハイブリッド駆動装置、２０…ＰＣＵ、３０…バッテリ、４０…インジケータ、ＭＧ１、ＭＧ２…モータジェネレータ、１００…ＥＣＵ、２００…エンジン、３００…動力分割機構、４００…入力軸、５００…駆動軸、６００…減速機構。
【図１】
2014213772.tif 000003
【図２】
2014213772.tif 000004
【図３】
2014213772.tif 000005
【図４】
2014213772.tif 000006
【図５】
2014213772.tif 000007
【図６】
2014213772.tif 000008
【図７】
2014213772.tif 000009